(57)【特許請求の範囲】
【請求項１】
フロントハンドル（１４）と、ハンドプロテクター（２０）と、を備えた手持ち式動力作業機（１０）において、
前記ハンドプロテクター（２０）は、上部板（２１ａ）と左右の側部板（２１ｂ、２１ｂ）とを有する内部が空胴の断面門型の後部保護体（２１）と、該後部保護体（２１）の前部に扇板状に延びる前部保護体（２５）と、で形成され、前記フロントハンドル（１４）は、前記ハンドプロテクター（２０）の前記両側部板（２１ｂ、２１ｂ）に一体にされており、
前記ハンドプロテクター（２０）は、前記後部保護体（２１）の下部に作業部支持体（２６、２６）を備え、該作業部支持体（２６、２６）で緩衝体（２７、２７）を介して作業部（１３）を支持していることを特徴とする手持ち式動力作業機。
【請求項２】
前記フロントハンドル（１４）は、ループ状に形成され、連続して一体に形成された上部把持部（１４ａ）と、左右の側部把持部（１４ｂ、１４ｂ）と、左右の下部把持部（１４ｃ、１４ｃ）とから成り、前記ハンドプロテクター（２０）の前記後部保護体（２１）の上部周囲を取り巻くように配置され、前記下部把持部（１４ｃ、１４ｃ）の内端部で前記後部保護体（２１）の前記両側部板（２１ｂ、２１ｂ）に一体にされていることを特徴とする請求項１に記載の手持ち式動力作業機。
【請求項３】
前記ハンドプロテクター（２０）は、前記後部保護体（２１）の後部に取付板（２１ｃ）を備え、該取付板（２１ｃ）でマウントベース（１２）に装着固定されていることを特徴とする請求項１又は２に記載の手持ち式動力作業機。
【発明の詳細な説明】
【０００１】
【発明の属する技術分野】
本発明は、手持ち式動力作業機に係り、特に、ヘッジトリマー等の手持ち式動力作業機の前部に配置されるフロントハンドルとハンドプロテクターに関する。
【０００２】
【従来の技術】
ヘッジトリマー等の手持ち式動力作業機は、通常、内燃エンジン等を原動機として内蔵した原動機ケース部と、前記原動機により駆動されるギヤ等の動力伝動機構を内蔵した伝動ケース部と、を支持するマウントベース部と、前記原動機によって前記動力伝動機構を介して駆動されるバリカン刃等からなる作業部と、前記原動機ケース部、伝動ケース部、又はマウントベース部等に装着されたハンドル部とを有している。該ハンドル部は、その使い勝手の利便等のために、フロントハンドルとリヤハンドルとからなっている。前記フロントハンドルの前部には、該フロントハンドルを握る手を保護するためのハンドプロテクターが配置されていると共に、前記リヤハンドルには、前記内燃エンジンのスロットル弁の開度を調整するスロットルレバー等が配設されている。
【０００３】
図５は、ヘッジトリマー等の従来の手持ち式動力作業機に装着されている一般的なフロントハンドル１４’とハンドプロテクター２０’を斜視図で示したものである。図５に示すように、前記フロントハンドル１４’は、ループ状に形成されており、その上部部分１４ａ’と左右の側部部分１４ｂ’、１４ｂ’とを握り部分として使用し、下部部分１４ｃ’が動力作業機の前方に伸びるマウントベース１２’の前端取付座部１２ａ’に固定される取付部として用いられている。
【０００４】
前記ハンドプロテクター２０’は、一枚の板状体をＬ字状に折り曲げた形状をしており、その後部平面保護体２０ａ’の後端が前記フロントハンドル１４’の下部部分１４ｃ’の前端に一体成形され、前部平面保護体２０ｂ’が前傾姿勢で上方に向け立設されている。
【０００５】
前記マウントベース１２’の中央刳り抜き部、及び、前記フロントハンドル１４’とハンドプロテクター２０’の下部には、前記バリカン刃等からなる作業部１３’を作動させる動力伝達部分を含む伝動ケース（図示省略）が配置され、該伝達ケースは、前記マウントベース１２’に弾性ゴム（図示省略）等を介して取付固定されている。
【０００６】
前記フロントハンドル１４’と前記ハンドプロテクター２０’とを備えたヘッジトリマー等の手持ち式動力作業機を使用して生垣刈作業等をするに当たっては、前記フロントハンドル１４’の前記上部部分１４ａ’もしくは前記側部部分１４ｂ’、１４ｂ’の適宜位置を手で握って、前記バリカン刃等からなる作業部を作動させて作業を行い、この間、前記ハンドプロテクター２０’が、前記フロントハンドル１４’を握った手を保護する。
【０００７】
【発明が解決しようとする課題】
前記の如き従来の前記ハンドプロテクター２０’は、作業機本体の前部に前記前部平面保護体２０ｂ’と後部平面保護体２０ａ’とを前記フロントハンドル１４’の下部部分１４ｃ’から片持ち状に突出保持しているので、その重量をできるだけ軽くするとともにプロテクターとしての機能を保持するための剛性を維持するべく、前記後部平面保護体２０ａ’は薄平板として形成されると共に、剛性維持のために後部平面保護体２０ａ’が、前記フロントハンドル１４’の前記下部部分１４ｃ’の長さと略等しい幅Ｌを備えている。
【０００８】
ところで、最近の手持ち式動力作業機には、作業者がどのような姿勢でも作業が可能なように、リヤハンドルを前記作業機本体に対して回動可能でかつ適宜の回動位置に固定できるようにしたものがある。この種の作業機においては、前記リヤハンドルの回動位置に適合する前記フロントハンドルの握り位置を確保する必要、即ち、前記フロントハンドルのループのできるだけ大きな範囲で把持が可能なようにする必要がある。
【０００９】
しかし、前記従来のフロントハンドル１４’では、その下部部分１４ｃ’の全長Ｌに渡って前記ハンドプロテクター２０’の後部平面体２０ａ’がその接続部として一体に成形されているので、前記フロントハンドル１４’の前記下部部分１４ｃ’を前記フロントハンドル１４’の把持部分として有効利用できず、作業者の作業姿勢の変化に対応できないとの問題がある。
また、前記フロントハンドル１４’がループ状で、前記ハンドプロテクター２０’が薄板状に形成されており、かつ両者が一体に成形されているので、該両者のマウントベース１２’の取付座部１２ａ’への取付固定についても、改良すべき課題を有している。
【００１０】
本発明は、このような問題に鑑みてなされたものであって、その目的とするところは、ハンドプロテクターを一体に備えたループ状フロントハンドルの把持可能範囲を大きくすると共に、前記ハンドプロテクターの剛性を高め、前記フロントハンドルと前記ハンドプロテクターの作業機本体への装着を容易とした手持ち式動力作業機を提供することにある。
【００１１】
【課題を解決するための手段】
前記目的を達成すべく、本発明に係る手持ち式動力作業機は、基本的には、フロントハンドルと、ハンドプロテクターと、を備え、前記ハンドプロテクターが、上部板と左右の側部板とを有する内部が空胴の断面門型の後部保護体と、該後部保護体の前部に扇板状に延びる前部保護体と、で形成され、前記フロントハンドルが、前記ハンドプロテクターの前記両側部板に一体にされており、前記ハンドプロテクターは、前記後部保護体の下部に作業部支持体を備え、該作業部支持体で緩衝体を介して作業部を支持していることを特徴としている。
【００１２】
そして、本発明の具体的な態様としては、前記フロントハンドルが、ループ状に形成され、連続して一体に形成された上部把持部と、左右の側部把持部と、左右の下部把持部とから成り、前記ハンドプロテクターの前記後部保護体の上部周囲を取り巻くように配置され、前記下部把持部の内端部で前記後部保護体の前記両側部板に一体にされており、前記ハンドプロテクターが、前記後部保護体の後部に取付板を備え、該取付板でマウントベースに装着固定されていることを特徴としている。
【００１３】
前述の如く構成された本発明に係るフロントハンドルとハンドプロテクターとを備えた手持ち式動力作業機は、例えば、回動式リヤハンドルを所望の回動位置に合わせて固定し、フロントハンドルの上部把持部、左右の側部把持部もしくは左右の下部把持部を適宜選択して把持でき、最適な把持状態で作業を行うことができる。
【００１４】
また、本発明のフロントハンドルは、その左右の下部把持部も把持できるようにしたので、フロントハンドルの把持範囲を大きくすることができ、作業者の姿勢変更に対処して最適位置でフロントハンドルを把持できる。
【００１５】
更に、本発明は、前記ハンドプロテクターの後部保護体の左右の側部板と前記フロントハンドルの左右の側部把持部との間に手を入れて前記フロントハンドルの左右の下部把持部を把持するようになるので、作業者の手が前記側部把持部と前記側部板とで保護されることとなり、安全性をより高めることができる。
【００１６】
更にまた、前記ハンドプロテクターの後部保護体を断面門型状としたので、後部保護体の厚さを薄くしても剛性を確保することがき、前記ハンドプロテクターの重量を軽くすることができる。
【００１７】
【発明の実施の形態】
以下、図面により本発明の手持ち式動力作業機の一実施形態であるフロントハンドルとハンドプロテクターとを備えたヘッジトリマーについて説明する。
図１は、本実施形態のフロントハンドルとハンドプロテクターとを備えたヘッジトリマー１０の一例を示した斜視図である。該ヘッジトリマー１０は、空冷２サイクルガソリン内燃エンジン１１と、該内燃エンジン１１により駆動されるギヤ等の動力伝動機構（図示せず）を内蔵した伝動ケース１３ｃを囲繞するマウントベース部１２と、前記内燃エンジン１１によって前記動力伝動機構を介して駆動される上下一対のバリカン刃１３ａ、１３ｂ等からなる作業部１３と、前記マウントベース部１２の前部に装着されたループ状のフロントハンドル１４と該フロントハンドル１４に近接して一体に設けられたハンドプロテクター２０と、前記マウントベース部１２の後部に装着されたリヤハンドル１５とを有している。
【００１８】
前記内燃エンジン１１には、リコイルスタータ１６や燃料タンク１７が付設されていると共に、図示しないが、内部に被駆動部材としてのスロットル弁を有する気化器や点火プラグ等が備えられている。前記作業部１３の上下一対のバリカン刃１３ａ、１３ｂは、前記内燃エンジン１１から前記伝動ケース１３ｃ内の往復運動機構等の動力伝動機構を介して相対往復駆動が行なわれる。前記リヤハンドル１５は、前記マウントベース部１２に対して前後方向軸線Ｏ−Ｏを中心として左右に回動可能に装着され、かつ、所望の回動位置で固定できるようになっている。前記リヤハンドル１５には、メインレバー（スロットルレバー）１５ａとサブレバー（サブスロットルレバー）１５ｂ等が配置されている。
【００１９】
図２は、図１の前記ヘッジトリマー１０の前記フロントハンドル１４と前記ハンドプロテクター２０部分の斜視図、図３は、図１のIII矢視一部破断正面図、図４は、図３のIV-IV矢視断面図である。
図２に示されているように、前記マウントベース部１２の前部１２ａは、門型形状に形成されており、該門型前部１２ａの前端面には、前記ハンドプロテクター２０が装着固定されている。前記ハンドプロテクター２０は、内部が空胴の断面門型の後部保護体２１と、該後部保護体２１の前部に、前記門型の周囲から放射状（扇型状）に前傾姿勢で伸びる扇板状の前部保護体２５とで形成されている。
【００２０】
前記後部保護体２１は、上部板２１ａと左右の側部板２１ｂとを有し、前記マウントベース部１２の門型前部１２ａと接触する部分に、取付板２１ｃを形成している。前記上部板２１ａと左右の側部板２１ｂ、２１ｂとは、薄板を蒲鉾状に連続的に湾曲せしめた形状をしており、前記取付板２１ｃには、適宜間隔をおいて三つのボルト挿通孔２３、２３、２３が穿設されており、該三つのボルト挿通孔２３、２３、２３に締付ボルト３１、３１、３１を前記マウントベース部１２の門型前部１２ａ側から挿入して、締付ナット３２、３２、３２によって締め付け固定することによって、前記ハンドプロレクター２０を前マウントベース１２に装着固定している。
【００２１】
前記フロントハンドル１４は、上部把持部１４ａと、左右の側部把持部１４ｂ、１４ｂと、左右の下部把持部１４ｃ、１４ｃとを連続してループ状に形成したものであり、前記後部保護体２１の上部周囲を取り巻くように配置され、前記下部把持部１４ｃ、１４ｃの内端部で前記後部保護体２１の前記側部板２１ｂ、２１ｂに一体に成形固着されている。
【００２２】
前記後部保護体２１の前記左右の側部板２１ｂ、２１ｂの下部には、それぞれ作業部支持体２６、２６が一体に成形されており、該作業部支持体２６、２６には、ゴム等の緩衝体２７、２７を挿入して、取付用スタッドボルト１２ｄ、１２ｄで前記係止する貫通孔２８、２８が各々穿設されている。
【００２３】
図３から理解されるように、前記左右一対の作業部支持体２６、２６の間には、前記バリカン刃１３ａ、１３ｂから成る作業部１３が配置され、該作業部１３は、前記マウントベース１２に囲繞された前記伝動ケース１３ｃに支持ボルト１３ｄ、１３ｄによって、前後方向に往復運動可能に支持されている。
次に、前述の如く構成された本実施形態のヘッジトリマー１０の作動について説明する。
【００２４】
前記ヘッジトリマー１０のリコイルスタータ１６を操作することにより内燃エンジン１１を始動する。しかし、この状態では、前記内燃エンジン１１がアイドル状態にあるので、回転数が低く、前記作業部１３への動力伝達機構の入力側に配置されている遠心クラッチ（図示せず）がクラッチイン状態とならないので、前記作業部１３には動力は伝わらず、前記バリカン刃１３ａ、１３ｂは、往復運動をしない。
【００２５】
前記状態において、両手で前記リヤハンドル１５とフロントハンドル１４とを握り、スロットルレバー１５ａとサブスロットルレバー１５ｂとを操作して前記内燃エンジン１１の出力（回転数）を上昇させると、前記遠心クラッチがクラッチイン状態となり、前記バリカン刃１３ａ、１３ｂが互いに１８０度位相を異にした反対方向に往復摺動運動を行い、生垣等の刈払作業が実施可能な状態となる。
前記刈払作業において、前記ハンドプロテクター２０は、その前部保護体２５と後部保護体２１とによって、前記フロントハンドル１４を把持している手をバリカン刃１３ａ、１３ｂや被刈払物等から保護する。
【００２６】
通常の刈払作業においては、前記フロントハンドル１４の把持は、上部把持部１４ａを把持して行うが、何等かの都合で、作業者が姿勢を変更して作業を行いたい場合には、前記リヤハンドル１５を回動してその固定位置を変更して該リヤハンドル１５を把持すると共に、前記フロントハンドル１４の把持位置も、左右の側部把持部１４ｂ、１４ｂもしくは左右の下部把持部１４ｃ、１４ｃを適宜選択して最適把持状態で作業を行うことができる。
【００２７】
前記のように、本実施形態のヘッジトリマー１０のフロントハンドル１４は、該フロントハンドル１４の下部把持部１４ｃ、１４ｃも把持できるようにしたので、前記フロントハンドル１４の把持範囲を大きくすることができ、作業者の姿勢変更に対処して最適位置でフロントハンドル１４を把持できる。
また、本実施形態のフロントハンドル１４は、前記ハンドプロテクター２０の後部保護体２１の側部板２１ｂと前記フロントハンドル１４の側部把持部１４ｂとの間に手を入れて前記フロントハンドル１４の下部把持部１４ｃを把持するようになるので、作業者の手が前記側部把持部１４ｂと前記側部板２１ｂとで保護されることとなり、安全性をより高めることができる。
【００２８】
更に、前記ハンドプロテクター２０の後部保護体２１を断面門型状としたので、後部保護体の厚さを薄くしても剛性を確保することがき、前記ハンドプロテクター２０の重量を軽くすることができる。
更に、前記フロントハンドル１４と前記ハンドプロテクター２０とを一体成形で製造できると共に、該一体成形体の前記フロントハンドル１４と前記ハンドプロテクター２０とを締付ボルト３１、３１…で前記マウントベース１２に簡単に装着固定できる構造としたので、組立・分解が容易で製造コストを低減できると共に、修理等も容易である。
【００２９】
以上、本発明の一実施形態について詳述したが、本発明は、前記実施形態に限定されるものではなく、特許請求の範囲に記載された発明の精神を逸脱しない範囲で、設計において、種々の変更ができるものである。
【００３０】
【発明の効果】
以上の説明から理解されるように、本発明の手持ち式動力作業機は、ハンドプロテクターの後部保護体を上部板と両側部板とを有する内部が空胴の断面門型とし、ループ状のフロントハンドルの下部把持部の内端部を前記後部保護体の左右の側部板にそれぞれ一体に固定したので、前記フロントハンドルの把持可能範囲を大きくできると共に、前記ハンドプロテクターを軽量とし、かつ、剛性を保持することができる。
【図面の簡単な説明】
【図１】本発明の手持ち式動力作業機の一実施形態のヘッジトリマーの斜視図。
【図２】図１のヘッジトリマーのフロントハンドルとハンドプロテクター部分の概略斜視図。
【図３】図１のIII矢視一部破断正面図。
【図４】図３のヘッジトリマーIV-IV矢視断面図。
【図５】従来の手持ち式動力作業機のフロントハンドルとハンドプロテクター部分の概略斜視図。
【符号の説明】
１０      手持ち式動力作業機（ヘッジトリマー）
１２      マウントベース
１３      作業部
１４      フロントハンドル
１４ａ    上部把持部
１４ｂ    側部把持部
１４ｃ    下部把持部
２０      ハンドプロテクター
２１      後部保護体
２１ａ    上部板
２１ｂ    側部板
２１ｃ    取付板
２５      前部保護体
２６      作業部支持体
２７      緩衝体
【図１】
0003825136.tif 000002
【図２】
0003825136.tif 000003
【図３】
0003825136.tif 000004
【図４】
0003825136.tif 000005
【図５】
0003825136.tif 000006